(57)【要約】  オリフィス板（304）のセンタリングに使用するオリフィス板センタリングツール（100）は細長い部材を含む。遠位端センタリング部（106）はオリフィス板（304）と接触するように構成される。対向する近位端（116）は、細長い部材を通って遠位端センタリング部に伝達される力を受け容れるように構成される。複数の任意選択される分画部（104）は細長い部材の長さ方向に沿って設けられる。
2019508664.tif 000002
【特許請求の範囲】
【請求項１】
オリフィス板をセンタリングするのに使用するオリフィス板センタリングツールであって、
細長い部材と、
オリフィス板と接触するように構成された遠位端センタリング部と、
遠位端センタリング部に前記細長い部材を通って伝達される力を受け容れるように構成された対向する近位端とを含むオリフィス板センタリングツール。
【請求項２】
前記細長い部材は、ハンマーによって加えられる力を伝達するのに十分な強度を有することを特徴とする請求項１に記載のオリフィス板センタリングツール。
【請求項３】
前記遠位端センタリング部は、前記オリフィス板と係合するように構成された少なくとも２つの点状部を含む請求項１に記載のオリフィス板センタリングツール。
【請求項４】
前記少なくとも２つの点状部は、前記オリフィス板に係合することで、前記オリフィス板センタリングツールを前記オリフィス板の直径に対して実質的に垂直に維持するように更に構成された請求項３に記載のオリフィス板センタリングツール。
【請求項５】
前記遠位端センタリング部が円弧部を含む請求項１に記載のオリフィス板センタリングツール。
【請求項６】
前記遠位端センタリング部は、前記オリフィス板と係合するように構成されたリップ状部を含む請求項１に記載のオリフィス板センタリングツール。
【請求項７】
前記細長い部材の長さ方向に沿って配置された複数の分画部を含む請求項１に記載のオリフィス板センタリングツール。
【請求項８】
前記複数の分画部が複数のラインおよび複数の番号を含み、前記複数のラインおよび番号は、前記遠位端から各分画部までの距離を示す請求項７に記載のオリフィス板センタリングツール。
【請求項９】
前記複数の分画部は、対応するフランジサイズで示される複数の範囲を含む請求項７に記載のオリフィス板センタリングツール。
【請求項１０】
遠位端から延設され、遠位端からの長さを有し、前記オリフィス板と前記オリフィス板を保持するフランジのガスケットとの間に嵌合するように寸法決めされたリップ状部を更に具備した請求項１に記載のオリフィス板センタリングツール。
【請求項１１】
前記細長い部材に摺動可能に係合し、当該細長い部材に沿って移動および配置可能な測定部材をさらに備え、前記測定部材は、前記遠位端から前記測定部材の位置までの距離を含む読取値を表示するように構成された請求項１に記載のオリフィス板センタリングツール。
【請求項１２】
前記近位端は、前記細長い部材の断面積より大きい断面積を有するランディング部をさらに備える請求項１に記載のオリフィス板センタリングツール。
【請求項１３】
オリフィス板センタリングツールを用いてオリフィス板をセンタリングする方法であって、
オリフィス板の中心を通る第１の軸に沿って、オリフィス板の第１のエッジからオリフィス板を保持するフランジの第１のエッジまでの第１の距離を測定するステップと、
オリフィス板の前記第１のエッジと実質的に対向するオリフィス板の第２のエッジから、フランジの前記第１のエッジに実質的に対向するフランジの第２のエッジまでの第２の距離を測定するステップと、
前記第１の距離と第２の距離とが実質的に等しくなるように調整するステップとを含むオリフィス板をセンタリングする方法。
【請求項１４】
前記測定するステップは、前記オリフィス板センタリングツールの遠位のセンタリング端に沿って２つの点状部を前記オリフィス板のそれぞれのエッジに対して配置するステップと、前記オリフィス板センタリングツールの長さに沿って位置決めされた複数の分画部から距離を読み取るステップとを含む請求項１３に記載の方法。
【請求項１５】
第1の軸に実質的に垂直なオリフィス板の中心を通る第２の軸に沿って、オリフィス板の第３のエッジからオリフィス板を保持するフランジの第３のエッジまでの第３の距離を測定するステップと、
オリフィス板の第３のエッジに実質的に対向するオリフィス板の第４のエッジから、フランジの第３のエッジに実質的に対向するフランジの第４のエッジまでの第４の距離を測定するステップと、
第３の距離と第４の距離とが実質的に等しくなるように調整するステップとを含む請求項１３に記載の方法。
【請求項１６】
前記第１の距離と第２の距離とを実質的に等しく調整することは、前記オリフィス板センタリングツールをパンチとして使用して前記オリフィス板を移動させることを含む請求項１３に記載の方法。
【請求項１７】
前記第１の距離と第２の距離とを実質的に等しく調整することは、前記オリフィス板センタリングツールの遠位端センタリング部を前記オリフィス板と接触させて配置し、前記対向する近位端に力を加えて遠位端センタリング部に力を伝達することを含む請求項１３に記載の方法。
【請求項１８】
調整後の前記第１、第２、第３および第４の距離が実質的に等しいことを確認することをさらに含む請求項１５に記載の方法。
【請求項１９】
オリフィス板をセンタリングするために使用するオリフィス板センタリングツールであって、
細長い部材と、
オリフィス板と接触するように構成され、前記細長い部材の幅方向の第１のエッジから第２のエッジまで延びる凹状の円弧部を含む遠位端センタリング部と、
前記第１のエッジと前記円弧部との交点に第１の点状部を有し、前記第２のエッジと前記円弧部との交点に第２の点状部を有し、前記第１および第２の点状部が、オリフィス板センタリングツールをオリフィス板の直径に対して実質的に垂直に維持するためにオリフィス板に係合するように構成され、
前記細長い部材の長さ方向に沿って配置された複数の分画部とを含むオリフィス板センタリングツール。
【請求項２０】
前記遠位端から所定の長さで延設され、オリフィス板とオリフィス板を保持するフランジのガスケットとの間に嵌合するように寸法決めされたリップ状部を含む請求項１９に記載のオリフィス板センタリングツール。
【発明の詳細な説明】
【技術分野】
【０００１】
本発明は、プロセス流体の流れに圧力差を生じさせるために使用されるタイプのオリフィス板に関する。より具体的には、本発明はプロセス流体が通るプロセス配管内での、そのようなオリフィス板の位置決めに関する。
【背景技術】
【０００２】
オリフィス板をパイプの中心に置くことを試みる方法は、やや場当たり的であるか、または不経済である。現在の最も信頼できるが高くつく方法は、２つの精密アライメントピンが収まるように、嵌合フランジに２つの穴を注意深く穿孔して配置することである。オリフィス板は、パイプの中心に配置された２つの位置合わせピンの上に置かれる。
【０００３】
数多く実践される方法は、基本的に視覚的な判断でプレートをフランジ間の中心に置くことを含む。設置者は、フランジのスタッドをボルトの円の中心から最も遠い位置に移動させ、ドライバまたは他の「疑似ゲージング」装置を使用して、各スタッドとオリフィス板との間にどのくらいの隙間があるかを認識する。オリフィス板と各スタッドとの間にドライバまたは「ゲージ」用の余地がない場合、設置者はオリフィス板を、各ゲージが各スタッドと同じ余地を有すると認識できる位置へ移動させる。
【先行技術文献】
【特許文献】
【０００４】
【特許文献１】特開2016-080599号公報
【発明の概要】
【発明が解決しようとする課題】
【０００５】
上記の方法はほとんどの場合、最も標準的な規格ISO-5167-2に基づく最も標準的なインストール要件を十分に満たすほど正確ではない。ISO 5167-2は、オリフィス板を規定の精度に合致するように、どのくらい正確にセンタリングする必要があるかを指定する。プレートの中心とパイプの中心との許容距離は、パイプの内径とベータ比の関数である。ISO 5167-2は、圧力タップと平行な方向へ許容可能な中心ずれを規定する。
【０００６】
上記の２つの説明で明らかになったように、より大きいベータおよび／またはより小さいラインサイズでは、許容可能な中心ズレの距離を、単に「目視」によって、あるいは導入中に頻繁に使用される典型的な迅速かつ不正確な方法によって実際に計測することは不可能である。
【０００７】
オリフィス板を使用する多くのユーザは、ISO 5167-2のようなオリフィス板規格では導入の許容度が非常に厳しいことを知ることができない。一部のユーザは、設置中に良好なセンタリングを保証するためのコストが非常に高いため、オリフィス板が中心からずれている可能性を気にしない場合がある。このため、オリフィス板のセンタリング方法は、安価かつ極めて迅速で、直感的に学習できる必要がある。
【課題を解決するための手段】
【０００８】
オリフィス板をセンタリングするために使用するオリフィス板センタリングツールは細長い部材を含む。遠位端センタリング部はオリフィス板と接触するように構成される。対向する近位端は、細長い部材を介して遠位端センタリング部に伝達される力を受け容れるように構成される。複数の任意の分画部が細長い部材の長さ方向に沿って設けられる。
【図面の簡単な説明】
【０００９】
【図１】オリフィス板センタリングツールの一構成例を示す斜視図である。
【図２】図１のオリフィス板センタリングツールの遠位センタリング端の拡大図である。
【図３】オリフィス板センタリングツールを用いてオリフィス板をセンタリングするステップ（その１）を示す。
【図４】オリフィス板センタリングツールを用いてオリフィス板をセンタリングするステップ（その２）を示す。
【図５】オリフィス板センタリングツールを用いてオリフィス板をセンタリングするステップ（その３）を示す。
【図６】オリフィス板センタリングツールを用いてオリフィス板をセンタリングするステップ（その４）を示す。
【図７】オリフィス板センタリングツールを用いてオリフィス板をセンタリングするステップ（その５）を示す。
【図８】オリフィス板センタリングツールを用いてオリフィス板をセンタリングするステップ（その６）を示す。
【図９】オリフィス板センタリングツールを用いてオリフィス板をセンタリングするステップ（その７）を示す。
【図１０】遠位端リップ状部を含むオリフィス板センタリングツールの別の構成例の斜視図である。
【図１１】オリフィス板と係合した図１０の遠位端リップ状部を示す側面断面図である。
【図１２】オリフィス板センタリングツールの端部におけるランディング部の実施形態（その１）を示す。
【図１３】オリフィス板センタリングツールの端部におけるランディング部の実施形態（その２）を示す。
【図１４】オリフィス板センタリングツールの端部におけるランディング部の実施形態（その３）を示す。
【発明を実施するための形態】
【００１０】
パドル式のオリフィス板が設置されるべきパイプまたはフランジ内にパドル式のオリフィス板を高い信頼性で安価かつ迅速にセンタリングする方法が求められている。
【００１１】
図１に、オリフィス板センタリングツール（またはゲージ）100の一実施形態を示す。オリフィス板センタリングゲージ100は、オリフィス板が一方側または他方側にずれることなくパイプの中心に設置または配置されることを保証する便利で簡単かつ迅速な方法および装置を提供する。オリフィス板またはコンディショニングオリフィス板がパイプの中心からずれると測定精度が損なわれる。現在、オリフィス板の使用者／設置者は、オリフィス板がパイプ内でユーザが要求するオリフィス板規格（例えば、ISO 5167-2）に従ってセンタリングされていることを確実かつ安価に保証する方法を有していない。
【００１２】
オリフィス板センタリングゲージ100は、これらの重要な基準を満たす一実施形態で使用できる。オリフィス板の設置者またはオリフィス板の設置をチェックする担当者は、ゲージ100などのオリフィス板センタリングゲージを使用してプレートがセンタリングされているかどうかを判断し、センタリングされていない場合には、それが直ちにセンタリングされるようにプレートを調整する方法を知ることができる。
【００１３】
ツール100は、一実施形態ではおおよそ包丁または定規のサイズの手持ち式ゲージであり、オリフィス板と接触するまで、パイプ等に設置されたオリフィス板のオリフィスフランジ／標準フランジ／フランジガスケットの間に挿入される。
【００１４】
ツール100は、一実施形態ではオリフィス板の厚さよりも薄い一定の厚さを有するが、通常の人間工学的な負荷に対する剛性を有する程度には十分に厚い。したがって、ツール100は、本発明の範囲から逸脱することなく、多数の異なる材料から製造されてもよい。一実施形態では、ツール100はゲージング情報を備えるのに十分な大きさであるが、快適に保持するのに十分な一定の小さい幅を有していても良い
【００１５】
ツール100は、ISO 5167-2（または、少なくとも最も一般的なプレートのサイズ）に含まれる全てのサイズおよびフランジ定格に適切なゲージング情報を備えるのに十分な長さである。一実施形態では、ツール100のオリフィス板に対向配置されるエッジ106は凹状の円弧部108を含み、エッジ106における円弧部108の外エッジの2つの点状部110がオリフィス板のエッジに接触するとき、ゲージング情報はオリフィス板の直径に対して実質的に垂直となる。図１は、ツール100の設計の一構成例を示す。ツール100の使用については、図３〜９を参照して詳述する。
【００１６】
ゲージング情報は、一実施形態ではゲージ番号102およびゲージ線104（図２に詳述）を含み、これらは読み易いものとしなければならないが、計測可能な総オフセンター量が関連する仕様内に収まるように十分に小さな増分である。ツールの測定可能範囲に0.65ベータオリフィス板を備えたNPS 2 Schedule 40のパイプを含めるには、分画部を0.020インチ離さなければならない。ツールがより大きいラインサイズ用に特別に作られた場合、分画部はさらに離れている可能性がある。この情報はレーザでツールに印をつけたり、ステッカーでツールに取り付けたりすることができる。一実施形態では、ゲージ番号102よりも多くのゲージ線104があり、ユーザは番号の付いていないラインに関連付けられた番号を推測できる。
【００１７】
図３は、中心302を有するフランジ300の断面図であり、中心306を有するオリフィス板304がその中に配置されている。一実施形態では、ツール100は以下の方法で使用される（図３〜９で更に図示される）。設置者は、オリフィス板304を可能な限りフランジ300の中心302の近くに配置し、次いで、オリフィス板センタリングツール100を、それが取り付けられるフランジ（例えば、300）とガスケット（図示せず）との間に、オリフィス板304の側面308に対して配置する。次いで、上流フランジ300の最も外側の点402が達するゲージ100上の位置400に注目する（例えば、ゲージ番号102および／またはゲージ線104を読み取る）。
【００１８】
次いで、設置者はツール100をオリフィス板の反対側312に配置し、ゲージ100上の、上流フランジ300の反対側312の最も外側の点502が達する位置500に注目する（例えば、ゲージ番号102および／またはゲージ線104を読み取る）。次いで、使用者はオリフィス板300の2つの側面308，312が、上流フランジ300の各外側エッジ402，502から異なる距離にあるか否かを記録する。ツール100上の測定値が側面308，312に対応する２つの点で異なる場合、プレート304は中心に位置合わせされていない。
【００１９】
次いで、ユーザはツール100から読み取れる各フランジのエッジと各プレートのエッジとの距離が同じ、または適切なセンタリング仕様を満たすのに十分に近い値となるように、測定された軸に沿ってプレート304がセンタリングされるように調節する。
【００２０】
次いで、ユーザはオリフィス板304の位置が関連する仕様の中心となるまで、フランジ300の断面を横切って第1軸に垂直な軸のように異なる軸に沿ってツール100を使用することができる。プレート304がセンタリングされると、ツール100はオリフィス板304のエッジの周りを回転され、ツールゲージの読み取り値をプレート304の全周にわたって確認することができる。上流フランジは、本明細書に記載のプロセスに関して説明されているが、本開示の範囲から逸脱することなく、下流フランジにも本明細書に記載の測定および調整を使用できることを理解されたい。
【００２１】
図３〜８では、ツール100を使用することができる方法の一実施形態が図示され、「オリフィス板センタリングツールを用いた標準センタリングの例」がさらに説明されている。
【００２２】
別の実施形態では、ツール100の追加的な使用は、プレート304のようなオリフィス板をパイプの中心に向かって押す機構である。１回の読み取り、または複数回の読み取りが行われ、フランジ300またはパイプのようなフランジ内でプレート304を調整するための量および方向が決定されると、オリフィス板304は、例えばハンマーを用いて、オリフィス板センタリングツール100により押される。
【００２３】
標準的なハンマーは、２つのフランジガスケットの間に適合せず、フラットヘッドスクリュードライバーのようなスクリュードライバー（しばしば使用される）を打ち込むと、オリフィス板の外縁部に損傷を与えたり、オリフィス板304から滑り落ちたりして、潜在的にオリフィス板304の外エッジのみならず、オリフィス板304および／またはフランジ300の他の構成要素を損傷させる可能性がある。
【００２４】
プレート304のようなオリフィス板のいずれかの側に取り付けられた２つのフランジガスケットの間のボルト止めが手で締め付けられたままである場合、一実施形態では、オリフィス板304の適切なエッジをオリフィス板センタリングツール100に接触させ、プレート304がセンタリングされていることを示す良好なゲージの読み取り値（ゲージ番号102および／またはゲージ線104を使用）をツールが表示するまで、ツール100をゴム製のマレットなどで軽く打ち込むことによって、フランジ内のオリフィス板304の位置、したがって通路を調整することができる。プレート304がセンタリングされると、ツール100はオリフィス板304の外周の周りを回転して、オリフィス板304の外エッジ上の様々な点でセンタリングを確認することができる。
【００２５】
凹状の円弧部108は、フラットヘッドドライバーなどとは対照的に、ツール100がオリフィス板304の外エッジに安定して配置されることを可能にし、円弧部108および点状部110は、ハンマーなどを用いた調整の際に、ツール100がオリフィス板304から滑り落ちることを防止するように機能する。円弧部108は、ツール100が使用されるべきオリフィス板304が各点状部110によって接触されるような大きさである。
【００２６】
このサイジングは、ゲージング情報がオリフィス板の直径に対して実質的に垂直となることを保証する。さらに、ツール100はオリフィス板上の適所に留まるので、ユーザは、調整を停止して再測定し、さらに調整を再開することなく、ハンマーなどのタップごとにオリフィス板の調整の進行状況を視認することができる。
【００２７】
一実施形態ではツール100が、ツール100およびハンマーなどを使用してパイプまたは導管内でオリフィス板を移動させることでオリフィス板304の位置の調整する際に大きく変形しないように、十分に高剛性で強固な材料で構成されている。一実施形態では、点状部110自体は、それらが鋭い場合にポイントの磨耗を防止するためのアールを有する。
【００２８】
ツール100は、新しいオリフィス板を設置するとき、または以前に設置されたオリフィス板の配置を確認するときに使用しても良い。ツール100は、スタンドアローンのオプションとして、またはオリフィス板／コンディショニングオリフィス板のオプションとして提供されてもよい。
【００２９】
オリフィス板センタリングツールを使用した標準的なセンタリングの例：図３〜９には、フランジ300内でのオリフィス板304のセンタリング方法の一例が示されている。図３では、オリフィス板304は、フランジ300に対して設置中に偏心し、または最初は偏心して設置される。
【００３０】
ステップ１（図４）：オリフィス板センタリングツール100上の突出した２つの点状部110をオリフィス板304のエッジ308に接触させる。オリフィス板センタリングツール100のゲージング情報102，104を使用して、オリフィス板304の１つの位置において、上流フランジ300の外側エッジ402の位置における測定値400を読み取る。
【００３１】
ステップ２（図５）：オリフィス板センタリングツール100上の２つの点状部110をオリフィス板304の反対側のエッジ312（軸404に沿って）に接触させる。オリフィス板センタリングツール100のゲージング情報102，104を使用して、オリフィス板304の反対側の位置において、上流フランジ300の反対側のエッジ402の位置における測定値500を読み取る。
【００３２】
ステップ３（図６）：第１の読取値400および第２の読取値500を使用して、２つのゲージ読取値400，500の差の半分の値が、オリフィス板304が（軸404に沿って）中心からどれほどずれているかを示す値として測定される。読取値400，500の小さい方の値が、軸404に沿ったフランジ300のエッジに最も近いオリフィス板304のエッジであり、このエッジが、オリフィス板304をフランジ300の中心に向けて調整するのに使用される。これは、第１のゲージ読取値400と第２のゲージ読取値500との中間のゲージ読取値を決定することによって実現される。
【００３３】
この値に応じて、ラインサイズおよびベータと共に、オリフィス板304を調整する必要はないかもしれない。しかしながら、オリフィス板304のこの方向への偏心量が、適切な規格の許容量よりも大きい場合、オリフィス板304は、フランジ300の中心306に向かって調整されるべきである。オリフィス板304を動かす量は、オリフィス板304が中心からずれている距離に等しい。オリフィス板304は、その支持には十分な締め付けであるが、その動きを制限するほどには締め付けられていない状態で、センタリングされた状態をツール100が表示するまで、オリフィス板センタリングツール100をハンマーで軽く叩くことによって動かしても良い。プレートの位置は手動で調整することもできる。
【００３４】
例：第１ゲージの読取値が1.000、第２ゲージの読取値が1.060であれば、プレートの中心は小さい読取値方向に0.030インチ離れており、この場合、ツール100は第１のゲージ読取値の端部においてオリフィス板304に対して配置され、ゲージの読取値が1.030となるまで調整される。
【００３５】
ステップ４（図７）：オリフィス板304のエッジ314にオリフィス板センタリングツール100上の２つの突出した点状部110を、オリジナルのセンタリング方向軸404に対する垂直軸704に沿って接触させる。例えば、オリジナルのセンタリングが軸404に沿って垂直方向に行われた場合、第２のセンタリングは軸704に沿って水平方向に行われるべきである。オリフィス板センタリングツール100のゲージング情報102，104を使用して、オリフィス板304上のその位置に関して、上流フランジ300の外側エッジ702において測定値700を読み取る。
【００３６】
ステップ５（図８）：オリフィス板センタリングツール100上の２つの点状部110をオリフィス板304の反対側のエッジ316に接触させる。オリフィス板センタリングツール100のゲージング情報102，104を使用して、オリフィス板304の反対側において、上流フランジ300の前記エッジ702とは反対側の外側エッジ802の測定値800を測定する。
【００３７】
ステップ６（図９）：第１の測定値700および第２の測定値800を使用して、２つのゲージ測定値700および800の半分の量が、オリフィス板304が中心から（軸704に沿って）ずれている量として測定される。読取値700，800の小さい方の値は、軸線704に沿ってフランジ300のエッジに最も近いオリフィス板304のエッジに対応し、このエッジが、オリフィス板304をフランジ300の中心に向けて調整するのに使用される。
【００３８】
これは、第１のゲージ読取値700および第２のゲージ読取値800の中間値を決定することによって達成される。この値によっては、ラインサイズおよびベータと共にオリフィス板304を調整する必要はない。しかしながら、オリフィス板304の当該方向に関する偏心量が、適切な規格の許容量よりも大きい場合、オリフィス板304はフランジ300の中心306に向かって調整されるべきである。オリフィス板304を動かす距離は、オリフィス板304が中心からずれている距離に等しい。
【００３９】
図７−９の第２の調整の後、オリフィス板304はフランジ300の中心306に適切にセンタリングされる。これを確認するために、オリフィス板センタリングツール100を使用して、オリフィス板304のエッジの全周にわたって複数の点で読み取りを行うことができる。各測定値は適用可能な標準値に適合するのに十分でなければならない。
【００４０】
様々な態様において、オリフィス板センタリングツール100の実施形態は、少なくとも以下を提供する：
【００４１】
・オリフィス板センタリングツール100は、オリフィス板をパイプまたは導管の中心に位置合わせするように働く２つのフランジの間で、オリフィス板がどの程度ずれているのかを測定するために使用されるツールである。
【００４２】
・オリフィス板センタリングツール100はオリフィス板よりも薄いが、通常の人間工学的負荷の下では大きく変形しない程度に厚い。
【００４３】
・オリフィス板センタリングツール100は、判読には十分な大きさであるが、適用可能な規格で必要とされる偏心の許容範囲をカバーするのに十分な小さい分画部を有する。
【００４４】
・オリフィス板センタリングツール100は、そのエッジ部分に機械加工された凹状の円弧部を有し、このエッジ部分は、オリフィス板の直径と垂直な配置を維持できるようにオリフィス板のエッジと接触する。円弧部は、ツールが使用される任意のオリフィス板が円弧部のいずれかの端部の２つの点状部と接触するような寸法である。
【００４５】
・円弧部108のいずれかの端部の点状部110は、オリフィス板との接触部分で生じるであろう速い磨耗を防止するために、それ自体がアールを有する。
【００４６】
・オリフィス板センタリングツール100は、プレートの中心からのずれ量を決定するために、オリフィス板の外側に対して嵌合フランジの外側を使用する。
【００４７】
・オリフィス板センタリングツール100は、凹状の円弧部108とは反対側の端部116に、ツール100をツールラック、ベルトクリップまたはペグボードに吊り下げるために使用できる穴114が設けられてもよい。
【００４８】
オリフィス板センタリングツール100は、オリフィス板を中心位置に打ち込む機構を提供する「パンチ」として使用することができる。
【００４９】
一実施形態では、オリフィス板センタリングツール100は、その本体に摺動可能に係合するスライドピース118を含み、フランジ300の外側に当接するように配置することができる。スライドピース118は、キャリパのスライディング部材のように、フランジ300の外側エッジとオリフィス板304のエッジとの間の距離の値を（物理的にまたはデジタル的に）示す。
【００５０】
一実施形態では、この摺動部品118に回路が追加され（デジタルキャリパーと同様に）、「ゼロ」を第１の読取値（本明細書で説明する読取値400または読取値700など）に使用できるインターフェースに組み込まれる。さらに、オリフィス板304の反対側で第２の読み取り（本明細書で説明する読取値500または読取値800など）が行われた後、回路によって自動オフセンター量の計算が実行されても良く、ディスプレイ120は、オフセンター量の計算結果や、オリフィス板304の調整方向の指示などを表示するために使用される。
【００５１】
オリフィス板センタリングツール100は、複数のシナリオをカバーする代わりに、特定のラインサイズおよびフランジ定格に特有の分画部を有するようにカスタマイズされても良い。ツール100上に印刷されたゲージング情報102，104は、多数の形状および尺度を取ることができ、上記の図１および図２に示すように、直径からわずかに離れていなくても良い。その他のオプションには、ミリメートルまたは使用される標準に適した間隔での任意の分画部が含まれまるが、これに限定されない（例えば、文字、数字の付いた文字、記号またはフランジのサイズ/レーティングに対応する色付きの範囲）。
【００５２】
図１２〜１４に示す様々な実施形態では、ツール100を、オリフィス板304のようなオリフィス板とハンマーとの間のパンチとして使用する際に、ハンマーまたはラバーマレットのターゲットが大きくなるように、凹状の円弧部108とは反対のツール100の端部116に、"ランディング部"または大きな領域が追加される。このような特徴は、図１２の断面図に示すように、ツールの遠方側に垂直なランディング部1200を溶接または他の方法で形成することによって達成できる。
【００５３】
あるいは図１３に示すように、ツール100の長さ方向1304に沿ってテーパ1302を用いて、円弧部108の端部には狭い端部106、円弧部108とは反対のツール100の端部には幅広の端部116を含むランディング部1300を設けることによっても達成できる。更には図１４に示すように、円弧部108と反対側のツール100の端部116にフレア端部1400を設けることによっても達成できる。オリフィス板センタリングツール100（または、ツール100の凹状円弧部108の点状部110、またはランディング部1200，1300，1400）は、ハンマーで打撃されても変形しないように硬い材料で作られてもよい。
【００５４】
図１０は、ゲージング情報1002，1004、円弧部1008および点状部1010を有する測定端部1006、および端部1016に近い穴1014を有するオリフィス板センタリングツールの他の実施形態1000を示す斜視図であり、全てがツール100の構成要素と類似または同一である。ツール1000はさらに、ゲージング情報1002，1004で画定されないツール側面に取り付けられ、または形成され、遠位端1006から延設されたリップ状部1050を含む。
【００５５】
図１１も参照し、リップ状部1050は、フランジガスケット350のフランジガスケット外側リング358とオリフィス板304との間のギャップ1102内にフィットするように寸法決めされ、端部1006から先端1054へ距離1052だけ延設される。距離1052は、遠位端1006から隙間1102に延びるリップ状部1050の先端1054が、フランジガスケット350のフランジガスケットシール面354とオリフィス板304との間の半径方向距離を超えないように十分に短い。
【００５６】
図１１の断面図に示すように、リップ状部1050は、センタリングツール1000の遠位端1006がフランジガスケット350ではなくオリフィス板304と確実に接触するように構成されている。リップ状部1050がなければ、ツール1000がオリフィス板304または関連するフランジガスケット350の位置を測定しているかどうかを判断することが困難である。
【００５７】
遠位リップ状部1050は、図１１に示すように、ゲージ1000を上流フランジ300方向へ「揺動」し、それによってフランジの外径1100で正確な読み取りを可能にする。このリップ状部1050がなければ、センタリングツール1000は、フランジガスケット350と係合して誤った読み取りにつながる可能性がある。先端1050を有することで、遠位端1006は、前方に揺動されたときにオリフィス板304と確実に接触し、フランジガスケット350に対してオリフィス板304からの測定を可能にする。
【００５８】
ツール1000を用いたオリフィス板のオフセンター量の測定値の読み取り方法は、他の点ではツール100による読み取り方法と変わらない。さらに、スライダ118およびランディング部1200，1300および1400などのツール100の代替の実施形態および特徴は、本開示の範囲から逸脱することなくツール1000に組み込まれてもよい。
【００５９】
本開示は、好ましい実施形態を参照して説明されたが、当業者は、本開示の精神および範囲から逸脱することなく、形態および詳細において変更がなされ得ることを認識するであろう。
【００６０】
センタリングツールは、オリフィス板と係合する少なくとも２つの先端を遠位端に含む。これらの先端は、本明細書に示すように円弧上に形成されてもよく、または他の何らかの方法で形成されてもよく、例えば三角形状を含むステップ設計であってもよい。これらの先端は、センタリングツールがオリフィス板の中心に配置され、オリフィス板の直径に対してゲージイグ情報100，102または1100，1102が実質的に垂直になることを保証する。
【符号の説明】
【００６１】
100…オリフィス板センタリングゲージ，102…ゲージ番号，104…ゲージ線，106…エッジ，108…円弧部，110…点状部，118…スライドピース，120…ディスプレイ，302，306…中心，300…フランジ，304…オリフィス板，308，312…側面，350…フランジガスケット，358…フランジガスケット外側リング，402，502…外側エッジ，1050…リップ状部，1200，1300，1400…ランディング部
【図１】
2019508664.tif 000003
【図２】
2019508664.tif 000004
【図３】
2019508664.tif 000005
【図４】
2019508664.tif 000006
【図５】
2019508664.tif 000007
【図６】
2019508664.tif 000008
【図７】
2019508664.tif 000009
【図８】
2019508664.tif 000010
【図９】
2019508664.tif 000011
【図１０】
2019508664.tif 000012
【図１１】
2019508664.tif 000013
【図１２】
2019508664.tif 000014
【図１３】
2019508664.tif 000015
【図１４】
2019508664.tif 000016
【国際調査報告】
2019508664.tif 000017
2019508664.tif 000018